(57)【要約】既存のインタフェースを有し、光のインタフェースを有し、既存のインタフェースの差動信号と光の出力信号を選択してＡＶ信号を出力する選択出力制御部（１２０）を有し、既存のインタフェースの信号線を用いてコネクタの接続先の情報を読み出す情報判別部（１１０）を有し、情報判別部には光情報を判別する光情報判別部（１９０）を有し、選択出力制御部は光情報判別部の情報を用いて判別して出力を制御するＡＶ信号出力装置（１００）と、既存のインタフェースを有し、光のインタフェースを有し、既存のインタフェースの差動信号と光の入力信号を選択してＡＶ信号を出力する選択入力制御部（２２０）を有し、既存の複数のインタフェースの信号線を用いてコネクタに情報を読み出せる情報格納部（２１０）を有し、情報格納部は光情報格納部を有するＡＶ信号入力装置（２００）と、双方を接続するケーブル（３１０）を有する。
2017141848.tif 000002
【特許請求の範囲】
【請求項１】
第１の複数の通信用の信号線と、
第１の複数の光出力信号を伝送する光伝送路を有する第１のコネクタと、
ＡＶ信号を入力として第１の複数の差動信号と前記第１の複数の光出力信号を選択して出力する選択出力制御部と、
前記第１の複数の通信用の信号線を用いて前記第１のコネクタの接続先の情報を読み出す情報判別部とを備え、
前記情報判別部は前記接続先から読み出した情報から光情報を判別する光情報判別部を有し、
前記選択出力制御部は前記情報判別部の光情報を用いて判別して出力を制御し、
前記第１の複数の通信用の信号線を用いて電力供給もしくは電力受電を行う
ことを特徴とするＡＶ信号出力装置。
【請求項２】
前記光情報は、前記第１のコネクタの接続先が光で通信可能かどうかを示す情報である
ことを特徴とする請求項１記載のＡＶ信号出力装置。
【請求項３】
前記第１のコネクタの接続先の光情報は、前記第１のコネクタの接続先が光で受信できていることを示す光接続情報を含む
ことを特徴とする請求項１または２記載のＡＶ信号出力装置。
【請求項４】
前記光接続情報は、前記第１のコネクタの接続先の光の接続状態としてエラー情報を含む
ことを特徴とする請求項３記載のＡＶ信号出力装置。
【請求項５】
前記光情報判別部は前記光情報及び前記光接続情報の双方で判別した光情報を出力する
ことを特徴とする請求項３または４記載のＡＶ信号出力装置。
【請求項６】
前記第１の複数の差動信号及び前記第１の複数の通信用の信号線は金属線でできている
ことを特徴とする請求項１〜５の何れか１項に記載のＡＶ信号出力装置。
【請求項７】
前記第１の複数の通信用の信号線に接続したことを検出するための接続情報信号が流れる信号線を含み、前記光出力信号を入力として前記接続情報信号を用いて最終出力信号を出力する光出力スイッチを有し、前記光出力スイッチは前記接続情報信号によって出力の入切を行う
ことを特徴とする請求項１〜６の何れか１項に記載のＡＶ信号出力装置。
【請求項８】
前記第１の複数の差動信号及び前記第１の複数の通信用の信号線を流れる信号はＨＤＭＩ（登録商標）規格で使用される入出力信号である
ことを特徴とする請求項１〜６の何れか１項に記載のＡＶ信号出力装置。
【請求項９】
前記接続情報信号はＨＤＭＩ（登録商標）規格におけるＨＰＤ信号を示す
ことを特徴とする請求項７記載のＡＶ信号出力装置。
【請求項１０】
第２の複数の通信用の信号線と、
第２の複数の光の入力信号の光伝送路を有する第２のコネクタと
第２の複数の差動信号と前記第２の複数の光の入力信号を選択してＡＶ信号を出力する選択入力制御部と、
前記第２の複数の通信用の信号線を用いて前記第２のコネクタに情報を出力する情報格納部とを備え、
前記第２の複数の通信用の信号線を用いて電力供給もしくは電力受電を行い、前記情報格納部は光情報格納部を有する
ことを特徴とするＡＶ信号入力装置。
【請求項１１】
前記光情報格納部の情報は前記ＡＶ信号入力装置が光で通信可能かどうかを示す光情報を含む
ことを特徴とする請求項１０記載のＡＶ信号入力装置。
【請求項１２】
前記光情報格納部の情報は、ＡＶ信号入力装置が光で受信できていることを示す光接続情報を含む
ことを特徴とする請求項１０または１１記載のＡＶ信号入力装置。
【請求項１３】
前記光接続情報は、ＡＶ信号入力装置の光の接続状態としてエラー情報を含んでいる
ことを特徴とする請求項１２記載のＡＶ信号入力装置。
【請求項１４】
前記選択入力制御部は、前記光接続情報により、前記第２の複数の差動信号か、前記第２の複数の光の入力信号のどちらを使用するかどうかを判別して入力を制御する
ことを特徴とする請求項１２または１３記載のＡＶ信号入力装置。
【請求項１５】
前記第２の複数の差動信号及び前記第２の複数の通信用の信号線は金属線でできている
ことを特徴とする請求項１０〜１４の何れか１項に記載のＡＶ信号入力装置。
【請求項１６】
前記第２の複数の差動信号及び前記第２の複数の通信用の信号線は、ＨＤＭＩ（登録商標）規格で使用される入出力信号である
ことを特徴とする請求項１０〜１５の何れか１項に記載のＡＶ信号入力装置。
【請求項１７】
前記情報格納部は、ＥＤＩＤである
ことを特徴とする請求項１０〜１６の何れか１項に記載のＡＶ信号入力装置。
【請求項１８】
請求項１〜９の何れか１項に記載のＡＶ信号出力装置と、
前記請求項１０〜１７の何れか１項に記載のＡＶ信号入力装置と、
前記第１のコネクタと前記第２のコネクタとを接続するケーブルとを備え、
前記ケーブルを介して、前記第１の複数の差動信号線と前記第２の複数の差動信号線が接続され、前記第１の複数の通信用の信号線と前記第２の複数の通信用の信号線が接続され、前記第１の複数の光伝送路と前記第２の複数の光伝送路が接続される
ことを特徴とするＡＶ信号入出力システム。
【請求項１９】
前記ケーブルは、ＨＤＭＩ（登録商標）の規格の信号線と光の信号線の双方を有する
ことを特徴とする請求項１８記載のＡＶ信号入出力システム。
【請求項２０】
前記ケーブルが接続されると、まず前記第１の複数の差動信号と前記第２の複数の差動信号の接続及び前記第１の複数の通信用の信号線と前記第２の複数の通信用の信号線が接続された後、前記光情報を前記光情報判別部が判別した上で、前記第１の複数の光と前記第２の複数の光が接続される
ことを特徴とする請求項１８または１９記載のＡＶ信号入出力システム。
【発明の詳細な説明】
【技術分野】
【０００１】
本開示は、例えばＨＤＭＩ（登録商標）（High-Definition Multimedia Interface）規格に準拠した既存の電気信号の伝送路に、追加して光信号を並走して伝送することに関し、既存の電気信号と光の伝送の相互制御に関する。
【背景技術】
【０００２】
ＨＤＭＩ（登録商標）（High-Definition Multimedia Interface）などの画像伝送規格は、高精細度デジタルビデオ／オーディオインタフェースに関する技術であり、この技術は幅広く高精細度デジタルビデオ／オーディオ信号の伝送に使われている。例えば非特許文献１にあるように、ＨＤＭＩ（登録商標）規格においては、金属線を用いた伝送方法が定められており、適用される規格のバージョンが異なっても、受信側のＤＤＣ（Display Data Channel）に記録された情報により接続が可能となるなどの互換性が高く、広く汎用されている。【０００３】
本開示においては、ＨＤＭＩ（登録商標）などの画像伝送規格に準拠した金属線のインタフェースを、「既存のインタフェース」と記載する場合がある。
【先行技術文献】
【特許文献】
【０００４】
【特許文献１】特開平１１−１８７０２３号公報
【非特許文献】
【０００５】
【非特許文献１】HDMI Specification Ver.1.3a［平成２７年１２月１１日検索］、インターネット＜URL：http://www.hdmi.org/manufacturer/specification.aspx＞
【発明の概要】
【発明が解決しようとする課題】
【０００６】
金属線を用いた既存のインタフェースでは、金属線の伝送路特性により長いケーブルに適していなかったり、大容量の情報伝送には適していない場合があった。特許文献１のように光による伝送を用いる場合もあるが、既存のインタフェースと全く互換性がなくなるという課題がある。また、光伝送路のみを用いた場合には電力の供給が出来ないという課題がある。【０００７】
本開示は、かかる点に鑑みてなされたものであり、既存のインタフェースの方式はそのまま用いた上で光伝送路を追加し、既存のインタフェースとの互換性を維持しつつ、より多くの情報量の伝送を行うことを目的とする。
【課題を解決するための手段】
【０００８】
本開示におけるＡＶ信号出力装置は、第１の複数の通信用の信号線と、第１の複数の光出力信号を伝送する光伝送路を有する第１のコネクタと、ＡＶ信号を入力して第１の複数の作動信号と第１の複数の光出力信号を選択して出力する選択出力制御部と、前記第１の複数の通信用の信号線を用いて前記第１のコネクタの接続先の情報を読み出す情報判別部とを備え、前記情報判別部は前記情報から光情報を判別する光情報判別部を有し、前記第１の複数の通信用の信号線を用いて電力供給もしくは電力受電を行い、前記選択出力制御部は前記光情報判別部の情報を用いて判別し出力を制御することを特徴とする。【０００９】
また、本開示におけるＡＶ信号入力装置は、第２の複数の通信用の信号線と、第２の複数の光の入力信号の光伝送路を有する第２のコネクタとインタフェース、第２の複数の差動信号と前記第２の複数の光の入力信号を選択して入力してＡＶ信号を出力する選択入力制御部と、前記第２の複数の通信用の信号線を用いて前記第２のコネクタにインタフェース情報を出力する情報格納部と、前記第２の複数の通信用の信号線を用いて電力供給もしくは電力受電を行い、前記情報格納部は光情報格納部を有することを特徴とする。【００１０】
また、本開示におけるＡＶ信号入出力システムは、前記ＡＶ信号出力装置と、前記第１のコネクタと前記第２のコネクタとを接続するインタフェースケーブルと、前記ケーブルを介して前記第１の複数の差動信号と前記第２の複数の差動信号が接続され、前記第１の複数の通信用の信号線と前記第２の複数の通信用の信号線が接続され、前記第１の複数の光と前記第２の複数の光が接続されることを特徴とする。
【発明の効果】
【００１１】
本開示によれば、既存のインタフェースと互換性を保って電力の受給を行った上で、既存のインタフェースで送受される光情報を用いて光接続の可否を判断して光接続を行い、既存のインタフェースの情報量の不足を補うことが可能となる。
【図面の簡単な説明】
【００１２】
【図１】図１は、実施の形態１におけるＡＶ信号入出力システムの構成を示すブロック図である。
【図２】図２は、実施の形態１の変形例１における情報判別部の構成を示すブロック図である。
【図３】図３は、実施の形態１の変形例１における情報格納部の構成を示すブロック図である。
【図４】図４は、実施の形態１の変形例２における情報判別部の構成を示すブロック図である。
【図５】図５は、実施の形態１の変形例２における情報格納部の構成を示すブロック図である。
【図６】図６は、実施の形態１の変形例３におけるＡＶ信号出力装置の構成を示すブロック図である。
【発明を実施するための形態】
【００１３】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１４】
（実施の形態１）
以下、図１を用いて実施の形態１を説明する。
【００１５】
［１．構成］
図１は、実施の形態１に係るＡＶ信号入出力システムを示すブロック図である。ＡＶ信号出力装置１００と、ＡＶ信号入力装置２００とが接続され、ＡＶ信号入出力システム３００を構成している。
【００１６】
ＡＶ信号出力装置１００は、接続先の情報を読み出して光接続を行うかどうかを判断し、判断結果に応じてＡＶ信号を出力する。情報判別部１１０、選択出力制御部１２０、コネクタ１３０を備え、それらを接続する通信用の信号線１６０、差動信号１７０を伝送する信号線、複数の光の出力信号１８０を伝送する信号線などを備える。
【００１７】
４ペアの差動信号１７０は、選択出力制御部１２０からコネクタ１３０に送信される。複数の通信用の信号線１６０は、情報判別部１１０とコネクタ１３０とを接続している。電力の授受も通信用の信号線１６０を介して行われる。複数の光の出力信号１８０は、選択出力制御部１２０からコネクタ１３０に送信される。コネクタ１３０は、複数の光の出力信号１８０を伝送する光伝送路を有する。
【００１８】
情報判別部１１０は、通信用の信号線１６０を用いてコネクタ１３０の接続先の情報を読み出す。情報判別部１１０はさらに、接続先の情報から光情報を判別する光情報判別部１９０を有する。
【００１９】
選択出力制御部１２０は、前記光情報判別部１９０からの光情報１５０を受けて出力の選択制御を行い、入力されたＡＶ信号１４０を出力する。すなわち、選択出力制御部１２０は既存の差動信号１７０と、光の出力信号１８０との切り替えを行う。
【００２０】
ＡＶ信号入力装置２００は、接続先からの入力信号に基づいて出力信号を切り替える。情報格納部２１０、選択入力制御部２２０、コネクタ２３０を備え、それらを接続する通信用の信号線２６０、差動信号２７０を伝送する信号線、複数の光の入力信号２８０を伝送する信号線などを備える。
【００２１】
４ペアの差動信号２７０は、コネクタ２３０から選択入力制御部２２０に入力される。差動信号２７０を伝送する信号線は、既存のインタフェースで構成されてもよい。複数の通信用の信号線２６０は、情報格納部２１０とコネクタ２３０とを接続しており、既存のインタフェースで構成されてもよい。電力の授受も通信用の信号線２６０を介して行われる。複数の光の入力信号２８０は、コネクタ２３０から選択入力制御部２２０に入力される。コネクタ２３０は、複数の光の入力信号２８０の光伝送路を有する。
【００２２】
情報格納部２１０は、通信用の信号線２６０を介してコネクタ２３０に情報を出力する。情報格納部２１０は光情報格納部２９０を有する。光情報格納部２９０には、ＡＶ信号入力装置２００が光で接続可能かどうかを示す情報（光情報）が格納されている。
【００２３】
選択入力制御部２２０は、入力信号（接続先から伝送されてきたＡＶ信号）の状況により、差動信号２７０と光の入力信号２８０を選択的に切り替えて、ＡＶ信号２４０を出力する。
【００２４】
ＡＶ信号入出力システム３００は、ＡＶ信号出力装置１００のコネクタ１３０とＡＶ信号入力装置２００のコネクタ２３０を接続するケーブル３１０を有する。４ペアの差動信号１７０と２７０、通信用の信号線１６０と２６０、及びコネクタ１３０、２３０が有する複数の光伝送路とは、各々ケーブル３１０を介して接続される。
【００２５】
ケーブル３１０は、ＨＤＭＩ（登録商標）の規格の信号線と光の信号線の双方を備えている。
【００２６】
ケーブル３１０を接続した際に、差動信号１７０、２７０の信号線及び通信用の信号線１６０、２６０を用いた通信により、光情報を判断する。光情報判別部１１０において光で接続すると判断した場合には、光の出力信号１８０の伝送路が用いられ、光信号の通信が行われる。光で接続しないと判断した場合は、既存の差動信号１７０が出力される。この差動信号１７０または光の出力信号１８０が、ＡＶ信号出力装置１００からＡＶ信号１４０として出力され、ＡＶ信号入力装置２００に入力されてＡＶ信号２４０として出力されることで、既存の差動信号もしくは光信号のスムースな切り替えが実現する。
【００２７】
それにより、伝送路であるケーブル３１０が長い場合のデータ欠落が防止され、大容量の伝送や高速伝送にも適したシステムが提供される。
【００２８】
なお、既存の複数の通信用の信号線１６０、２６０と、既存の４ペアの差動信号１７０、２７０を伝送する信号線（以下、両者を合わせて既存のインタフェースと呼ぶ）は、ＨＤＭＩ（登録商標）におけるＤＤＣライン等の通信線や４ペアの差動信号の信号線と互換性を保っており、例えばＨＤＭＩ（登録商標）における信号と同一である。従って、ＡＶ信号出力装置１００とＡＶ信号入力装置２００が既存のインタフェースのみで接続され、複数の光伝送路が接続されなくても、既存のインタフェースとの互換の範囲で通信は成立する。
【００２９】
さらに、本ＡＶ信号入出力システム３００では、複数の光伝送路も接続されているため、光での通信も可能なハイブリッドシステムである。ＨＤＭＩ（登録商標）である既存のインタフェースと光が同居して、既存のインタフェースにおける通信を用いて、光と既存のインタフェースの切り替えを実現している。更にＨＤＭＩ（登録商標）と互換性を持ったインタフェース接続プロトコル完了の後に光情報１５０を用いた接続を行うことも可能となる。
【００３０】
また、既存のインタフェースは銅線などの金属線で出来ている。光の信号線には、例えばグラスファイバや樹脂ファイバが用いられている。
【００３１】
［２．動作］
以上のように構成されたＡＶ信号出力装置１００と、ＡＶ信号入力装置２００を含むＡＶ信号入出力システム３００について、その動作を以下に説明する。
【００３２】
ＡＶ信号出力装置１００からＡＶ信号を出力する場合、まずはケーブル３１０をＡＶ信号出力装置１００とＡＶ信号入力装置２００のそれぞれのコネクタ１３０と、コネクタ２３０に接続する。これにより、それぞれの４ペアの差動信号１７０、２７０の信号線と、複数の通信用の信号線１６０、２６０、及び複数の光伝送路が接続される。
【００３３】
ＡＶ信号出力装置１００は、ケーブル３１０を介してＡＶ信号入力装置２００に接続されると、複数の通信用の信号線１６０のうちの接続検知用の信号線によって、ＡＶ信号入力装置２００との接続を検知する。接続が検知されると、複数の通信用の信号線１６０、２６０のうちの情報通信線によって、ＡＶ信号入力装置２００の情報格納部２１０から情報判別部１１０に情報を読み出す。
【００３４】
ＡＶ信号出力装置１００は、情報判別部１１０の光情報判別部１９０に、ＡＶ信号入力装置２００の情報格納部２１０の光情報格納部２９０の情報を読み出す。光情報格納部２９０には、光で受信可能かどうかが示される光ケーパビリティが格納されている。この光情報格納部２９０の情報が、既存のインタフェースを介して、光情報判別部１９０に読み出される。読み出された情報は、光情報１５０として、選択出力制御部１２０に送られる。これにより、ＡＶ信号入力装置２００との光の接続可否が判断可能となる。
【００３５】
選択出力制御部１２０は、光情報１５０を元に、光接続の可否を判断する。光情報１５０に光で受信可能であることが記載されていると判別した場合は、選択出力制御部１２０は光の出力信号１８０を用いることを選択して出力を切り替える。また、光情報１５０にて光で受信可能であることが記載されていなかったと判別した場合は、４ペアの差動信号１７０を用いることを選択して出力を開始する。すなわち、光で接続可能と判断した場合には、光の出力信号１８０を通信手段として選択し、光で接続ができないと判断した場合には、４ペアの差動信号１７０を通信手段として選択する。
【００３６】
上述のような動作により、ＡＶ信号入力装置２００の光情報格納部２９０の情報に基づいて、光伝送路を選択するか、既存のインタフェースである４ペアの差動信号を選択するかの切り替えが容易に実現される。また、既存のインタフェースの一部である複数の通信用の信号線１６０、２６０を用いることにより、電力の供給、もしくは受電が可能となる。
【００３７】
（実施の形態１の変形例１）
以下、図２、３を用いて実施の形態１の変形例１を説明する。図２は、ＡＶ信号出力装置１００において光接続情報判別部１９１を光情報判別部１９０に有した場合のブロック図である。図３は、ＡＶ信号入力装置２００において、光接続情報格納部２９１を光情報格納部２９０に有した場合のブロック図である。
【００３８】
光接続情報格納部２９１では、ＡＶ信号入力装置２００における選択入力制御部２２０が実際に光で入力された場合に、光の接続情報が格納される。これにより、ＡＶ信号出力装置１００にある光接続情報判別部１９１は実際に光がＡＶ信号入力装置２００に接続されていることを確認することが可能となる。例えば、光接続情報判別部１９１が光で接続されていると判断して光情報１５０を選択出力制御部１２０に出力した場合には、継続的に光の出力信号１８０を使用する。また、光接続情報判別部１９１が光では接続されていないと判断して光情報１５０を選択出力制御部１２０に出力した場合には、４ペアの差動信号１７０に切り替える。このように、接続に応じた流動的な制御が可能となる。
【００３９】
動作としては、ＡＶ信号入力装置２００において光接続情報格納部２９１が光情報格納部２９０内に有している場合は、光の入力信号２８０が来ているかどうかを選択入力制御部２２０にて判断した結果を光接続情報格納部２９１に格納する。
【００４０】
光接続情報判別部１９１は、光接続情報格納部２９１に格納された光の入力信号が来ているかどうかの情報を判別して抽出し、光情報１５０として出力する。
【００４１】
光情報１５０は、光情報格納部２９０に格納された受信可能であるかどうかの情報のみで構成されることもあり、光接続情報格納部２９１に格納された光の入力信号を受けたかどうかも加味して構成されることもある。
【００４２】
選択出力制御部１２０は、それらの情報を使用して総合的な判断を行って光で出力するか、既存の差動信号インタフェースで出力するかを決定する。
【００４３】
（実施の形態１の変形例２）
以下、図４、５を用いて実施の形態１の変形例２を説明する。
【００４４】
図４は、上述の変形例１の構成において、さらに光のエラー情報判別部１９２を光接続情報判別部１９１に有した場合のブロック図である。図５は、上述の変形例１の構成において、さらに光のエラー状態格納部２９２を光接続情報格納部２９１に有した場合のブロック図である。
【００４５】
光のエラー情報格納部２９２では、ＡＶ信号入力装置２００における選択入力制御部２２０が実際に光で接続されているものの、例えば光伝送路の汚れなどにより、伝送帯域が十分に確保できない場合に、データのエラーを検知した情報を格納する部分である。これにより、ＡＶ信号出力装置１００にある光のエラー情報判別部１９２が光のエラー状態を確認することが可能となる。例えば、光のエラー情報判別部１９２が光のエラー状態は特に問題ないと判断し、光情報１５０を選択出力制御部１２０に出力した場合には、継続的に光の出力信号１８０を使用する。また、光のエラー情報判別部１９２が光のエラーが大きく、光の接続では問題が発生すると判断した場合には、４ペアの差動信号１７０に切り替える。このような光のエラー状態に応じた流動的な制御が可能となる。
【００４６】
動作としては、選択入力制御部２２０にて光のエラーを抽出する機能を有している場合は、抽出された光のエラー情報を光のエラー情報格納部２９２に格納する。
【００４７】
光のエラー情報判別部１９２は、光のエラー情報格納部２９２に格納されたエラー情報を判別して抽出し、光情報１５０として出力する。
【００４８】
光情報１５０は、光情報格納部２９０に格納された受信可能であるかどうかの情報のみで構成されることもあり、光接続情報格納部２９１に格納された光の入力信号を受けたかどうかも加味して構成されることもあり、光のエラー情報格納部２９２に格納された光のエラー情報も加味して構成されることもある。
【００４９】
選択出力制御部１２０は、それらの情報を使用して総合的な判断を行って光で出力するか、既存の差動信号インタフェースで出力するかを決定する。
【００５０】
（実施の形態１の変形例３）
以下、図６を用いて実施の形態１の変形例３を説明する。
【００５１】
図６は、実施の形態１のＡＶ信号出力装置１００に、さらに光出力スイッチ１８２、接続情報信号１６１の信号線、最終出力信号１８１の信号線が追加された場合のブロック図である。接続情報信号１６０の信号線は、既存のインタフェースである通信用の信号１６０のうちの一つである。
【００５２】
ＡＶ信号出力装置１００は既存のインタフェースである複数の通信用の信号線１６０を持っているが、この信号線において、ＡＶ信号入力装置が接続したことを検知する信号をやりとりする場合がある。例えばＨＤＭＩ（登録商標）においてはＨＰＤと呼ばれる接続検知用の信号がそれにあたる。
【００５３】
本変形例では、光出力スイッチ１８２により、この接続を検知する信号である接続情報信号１６１、例えばＨＤＭＩ（登録商標）におけるＨＰＤ信号を用いることによって、光の出力をスイッチする。接続相手に接続していると判断した場合には、光出力スイッチ１８２を入れることで光出力が可能となり、接続相手に接続されていないと判断した場合には、光出力スイッチ１８２を切ることで、光出力がされない装置を構築することが可能となる。
【００５４】
この構成により、ケーブルが外れた際に即座に外れたことを検出することが可能となり、接続相手に接続されているかどうかによって、光の出力制御が可能となる。すなわち、接続されていない場合に誤って光が出力されてしまうといったこともなくなる。
【００５５】
以上のように、本出願において開示する技術の例示として、実施の形態１およびその変形例を説明した。しかしながら、本開示における技術は、これに限定されず、適宜、変更、置き換え、付加、省略などを行った実施の形態にも適用可能である。また、上記実施の形態１とその変形例で説明した各構成要素を組み合わせて、新たな実施の形態とすることも可能である。
【産業上の利用可能性】
【００５６】
本発明にかかるＡＶ信号出力装置、ＡＶ信号入力装置及びＡＶ信号入出力システムは、既存のインタフェースとの互換性を保ちつつ、電力はそのまま供給でき、追加で光信号を用いて情報量の不足を補い、既存のインタフェースに比して情報量が多くなったＡＶ信号出力装置及びＡＶ信号入力装置及びシステムとして有用である。
【符号の説明】
【００５７】
１００          ＡＶ信号出力装置
１１０          情報判別部
１２０          選択出力制御部
１３０          コネクタ
１４０          ＡＶ信号
１５０          光情報
１６０          通信用の信号線
１６１          接続情報信号
１７０          ４ペアの差動信号
１８０          光の出力信号
１８１          最終出力信号
１８２          光出力スイッチ
１９０          光情報判別部
１９１          光接続情報判別部
１９２          光のエラー情報判別部
２００          ＡＶ信号入力装置
２１０          情報格納部
２２０          選択入力制御部
２３０          コネクタ
２４０          ＡＶ信号
２６０          通信用の信号線
２７０          ４ペアの差動信号
２８０          光の入力信号
２９０          光情報格納部
２９１          光接続情報格納部
２９２          光のエラー情報格納部
３００          ＡＶ信号入出力システム
３１０          ケーブル
【図１】
2017141848.tif 000003
【図２】
2017141848.tif 000004
【図３】
2017141848.tif 000005
【図４】
2017141848.tif 000006
【図５】
2017141848.tif 000007
【図６】
2017141848.tif 000008
【国際調査報告】
2017141848.tif 000009
2017141848.tif 000010
2017141848.tif 000011
2017141848.tif 000012